(57)【要約】ディスプレイ装置を駆動する方法は、ピクセルの行および列を含むピクセルのアレイを提供する段階を含み、各ピクセルは、スイッチング／ドライビング・トランジスタ回路、および少なくとも１つの発光光装置を含む。ピクセルの各行は走査線を有し、ピクセルの各列はデータ線を有する。本方法は、さらに、ピクセルのアレイ内の各ピクセルがアドレスされる間にフレーム時間を画定し、かつ、フレーム時間を、書込みサブフレーム、表示サブフレーム、および休止サブフレームに分割する段階を含む。走査パルスは各走査線へ、データ信号は各データ線へ供給され、発光装置は、書込みサブフレーム中、無効になる。発光装置は、表示サブフレーム中、有効になり、スイッチング／ドライビング・トランジスタ回路は無効になる。休止パルスは、すべての走査線に供給され、発光装置は、休止サブフレーム中、無効になる。
2014512558.tif 000002
【特許請求の範囲】
【請求項１】
ディスプレイ装置を駆動する方法において、
ディスプレイを画定するピクセルの行および列を含む、ピクセルのアレイを提供する段階であって、前記ピクセルのアレイ内の各ピクセルは、スイッチング／ドライビング・トランジスタ回路および少なくとも１つの発光装置を含み、ピクセルの各行は、前記行内の各ピクセルの各スイッチング／ドライビング・トランジスタ回路に結合された走査線を有し、ピクセルの各列は、前記列内の各ピクセルの各スイッチング／ドライビング・トランジスタ回路に結合されたデータ線を有する、段階と、
前記ピクセルのアレイ内の各ピクセルがアドレスされる間のフレーム時間を画定し、かつ、前記フレーム時間を、書込みサブフレーム、表示サブフレーム、および休止サブフレームに分割する段階と、
走査パルスを各走査線に、データ信号を各データ線に供給し、かつ、前記書込みサブフレーム中、前記発光装置を無効にする段階と、
前記表示サブフレーム中、前記発光装置を有効にし、かつ、前記スイッチング／ドライビング・トランジスタ回路を無効にする段階と、
休止パルスをすべての走査線に供給し、かつ、前記休止サブフレーム中、前記発光装置を無効にする段階であって、それによって、前記ディスプレイ装置を駆動する前記方法は、前記走査線の数に依存することなく負バイアスの除去時間を提供することにより、スイッチ・トランジスタをより安定させる、段階と、
から構成されることを特徴とする方法。
【請求項２】
前記走査線は、前記表示サブフレーム中、休止電圧に戻され、全てのスイッチング／ドライビング・トランジスタ回路をオフにすることを特徴とする請求項１記載の方法。
【請求項３】
前記書込みサブフレームは、全フレーム時間の約５％から約５０％であることを特徴とする請求項１記載の方法。
【請求項４】
前記表示サブフレームは、前記全フレーム時間の約４０％から約９０％であることを特徴とする請求項１記載の方法。
【請求項５】
前記休止サブフレームは、前記全フレーム時間の約１％から約５０％であることを特徴とする請求項１記載の方法。
【請求項６】
前記休止パルスは、前記スイッチング・トランジスタをほぼ完全に安定させるために十分な逆補償を前記スイッチング／ドライビング・トランジスタ回路内のスイッチ・トランジスタに提供するために十分に長いことを特徴とする請求項１記載の方法。
【請求項７】
前記走査パルスおよび前記休止パルスは、前記スイッチング／ドライビング・トランジスタ回路をオンにすることを特徴とする請求項１記載の方法。
【請求項８】
前記休止パルスは、前記スイッチング／ドライビング・トランジスタ回路内の駆動トランジスタに対する逆補償を提供することを特徴とする請求項１記載の方法。
【請求項９】
スイッチング／ドライビング・トランジスタ回路を提供する前記段階は、前記スイッチング／ドライビング・トランジスタ回路内のＭＯＴＦＴスイッチ・トランジスタを提供する段階を含むことを特徴とする請求項１記載の方法。
【請求項１０】
ディスプレイ装置を駆動する方法において、
ディスプレイを画定するピクセルの行および列を含む、ピクセルのアレイを提供する段階であって、前記ピクセルのアレイ内の各ピクセルは、スイッチング／ドライビング・トランジスタ回路および少なくとも１つの発光装置を含み、ピクセルの各行は、前記行内の各ピクセルの各スイッチング／ドライビング・トランジスタ回路に結合された走査線を有し、ピクセルの各列は、前記列内の各ピクセルの各スイッチング／ドライビング・トランジスタ回路に結合されたデータ線を有する、段階と、
前記ピクセルのアレイ内の各ピクセルがアドレスされる間のフレーム時間を画定し、かつ、前記フレーム時間を、書込みサブフレーム、表示サブフレーム、および休止サブフレームに分割する段階であって、前記書込みサブフレームは、前記フレーム時間の全体の約５％から約５０％であり、前記表示サブフレームは、前記フレーム時間の全体の約４０％から約９０％であり、前記休止サブフレームは、前記フレーム時間の全体の約１％から約５０％である、段階と、
走査パルスを各走査線に、データ信号を各データ線に供給し、かつ、前記書込みサブフレーム中、前記発光装置を無効にする段階と、
前記表示サブフレーム中、前記発光装置を有効にし、かつ、前記スイッチング／ドライビング・トランジスタ回路を無効にする段階と、
休止パルスをすべての走査線に供給し、かつ、前記休止サブフレーム中、前記発光装置を無効にする段階であって、前記休止パルスは、前記スイッチング・トランジスタをほぼ完全に安定させるために十分な逆補償を前記スイッチング／ドライビング・トランジスタ回路内のスイッチ・トランジスタに提供するために十分に長い、段階と、
から構成されることを特徴とする方法。
【請求項１１】
前記スキャン・パルスおよび前記休止パルスは、前記スイッチング／ドライビング・トランジスタ回路をオンにすることを特徴とする請求項１０記載の方法。
【請求項１２】
前記休止パルスは、前記スイッチング／ドライビング・トランジスタ回路内の駆動トランジスタに対する逆補償を提供することを特徴とする請求項１０記載の方法。
【請求項１３】
前記走査線は、前記表示サブフレーム中、休止電圧に戻され、全てのスイッチング／ドライビング・トランジスタ回路をオフにすることを特徴とする請求項１０記載の方法。
【請求項１４】
スイッチング／ドライビング・トランジスタ回路を提供する前記段階は、前記スイッチング／ドライビング・トランジスタ回路内のＭＯＴＦＴスイッチ・トランジスタを提供する段階を含むことを特徴とする請求項１０記載の方法。
【請求項１５】
駆動機器を有するディスプレイ装置であって、
ディスプレイを画定するピクセルの行および列を含む、ピクセルのアレイおよび関連する回路から構成され、前記ピクセルのアレイ内の各ピクセルは、スイッチング／ドライビング・トランジスタ回路および少なくとも１つの発光装置を含み、ピクセルの各行は、前記行内の各ピクセルの各スイッチング／ドライビング・トランジスタ回路に結合された走査線を有し、ピクセルの各列は、前記列内の各ピクセルの各スイッチング／ドライビング・トランジスタ回路に結合されたデータ線を有し、
前記ピクセルのアレイは、前記ピクセルのアレイ内の各ピクセルがアドレスされる間であるフレーム時間を含み、前記フレーム時間は、書込みサブフレーム、表示サブフレーム、および休止サブフレームに分割され、
前記関連する回路は、走査パルスを各走査線に供給し、データ信号を各データ線に供給し、前記書込みサブフレーム中、前記発光装置を無効にするために設計され、
前記関連する回路は、前記表示サブフレーム中、発光装置を有効にし、かつ、前記スイッチング／ドライビング・トランジスタ回路を無効にするために設計され、
前記関連する回路は、休止パルスをすべての走査線に供給し、かつ、前記休止サブフレーム中、前記発光装置を無効にし、それによって、前記駆動機器は、前記走査線の数に依存しない負バイアスの除去時間を提供することにより、前記スイッチ・トランジスタをより安定させる、
ことを特徴とする装置。
【請求項１６】
前記関連する回路は、前記表示サブフレーム中、前記走査線を休止電圧に戻し、全てのスイッチング／ドライビング・トランジスタ回路をオフにするために設計されることを特徴とする請求項１５記載の駆動機器を有するディスプレイ装置。
【請求項１７】
前記関連する回路は、走査パルスを供給し、かつ前記スイッチング／ドライビング・トランジスタ回路をオンにする休止パルスを供給するために設計されることを特徴とする請求項１５記載の駆動機器を有するディスプレイ装置。
【請求項１８】
前記少なくとも１つの発光装置は、ＬＣＤ、ＥＰＤ、およびＯＬＥＤのうちの１つを含むことを特徴とする請求項１５記載の駆動機器を有するディスプレイ装置。
【請求項１９】
前記スイッチング／ドライビング・トランジスタ回路は、ＭＯＴＦＴスイッチ・トランジスタを含むことを特徴とする請求項１５記載の駆動機器を有するディスプレイ装置。
【発明の詳細な説明】
【技術分野】
【０００１】
本発明は、一般に、ＭＯＴＦＴの安定性に関し、より詳しくは、ＭＯＴＦＴの安定性を改善するための駆動方法に関する。
【背景技術】
【０００２】
金属酸化物薄膜トランジスタ（ＭＯＴＦＴ：Metal Oxide Thin Film Transistor）は、様々な装置内で使用されるが、ディスプレイ内のアクティブ・マトリクスに組み込まれたアクティブ回路内で主に使用される。ＭＯＴＦＴの安定性（すなわち、ＭＯＴＦＴがオンまたはオフするスレッショルド電圧）は、ＭＯＴＦＴによって実行される多くの動作において重要である。例えば、「Metal Oxide TFT with Improved Stability」の名称で２０１０年１０月２９日に出願された米国特許出願番号１２／９１５，７１２における、ＴＦＴ内の正のスレッショルド電圧のシフトに関する議論を参照されたい。また、当該出願は、参照として本願に組み込まれる。
【０００３】
ＭＯＴＦＴの安定性は、金属酸化物の酸化および還元に対する耐性によってコントロールされる。正バイアス(positive bias)下におけるＭＯＴＦＴの不安定性は、酸化に対する感受性に起因する。負バイアス(negative bias)下におけるＭＯＴＦＴの不安定性は、還元に対する感受性に起因する。酸化は還元の逆作用であるので、耐酸化性は耐還元性の逆である。正バイアス下における安定性（耐酸化性）は、通常、負バイアス下における安定性（耐還元性）を犠牲にし、その逆もまた同様である。
【０００４】
正バイアスおよび負バイアスの両方の下で安定している金属酸化物を提供することは難しい。正バイアス下で安定しているＭＯＴＦＴ（特に大きなエネルギー・ギャップを有するもの）を達成するためには、ＴＦＴチャネルが耐酸化性を有していなければならない。他方、負バイアス下で安定しているＭＯＴＦＴを達成するためには、ＴＦＴチャネルが耐還元性を有していなければならない。正および負の両方のバイアスに対して安定しているＭＯＴＦＴを提供することは、大きな挑戦である。
【０００５】
金属酸化物のイオンの性質のために、ＭＯＴＦＴの安定性は、ＤＣ駆動状態よりも、バランスのとれたＡＣ駆動状態におけるほうが良好である。バランスのとれたＡＣ状態下でＭＯＴＦＴを駆動できることは有利である。
【０００６】
負バイアス下では、ＭＯＴＦＴ内の還元過程は比較的遅いので、パルス・バイアスによって妨げることができる。例えば約２０ミリ秒未満の時間内に、負バイアスを除去するか、あるいは正バイアスを短時間印加することにより逆にして、還元過程を妨げることができる。例えば、５０％のデューティ・サイクルで負バイアスを除去する（例えば、零バイアスに戻す）ことにより、安定性が大いに改善されることが観察されている。パルス時間が２０ミリ秒より短い場合では、例えば、スレッショルド電圧の安定性は、より小さなデューティ・サイクルで保持でき、１％のような短い期間によってでさえ保持できることが観察されている。これは、ａ−ＳｉまたはＬＴＰＳで形成されたＴＦＴ内のような、共有結合半導体内に作成された装置とは極めて対照的である。他方において、ＭＯＴＦＴの安定性に関してパルスされた正バイアスの除去による影響は、それほど顕著ではない。
【０００７】
ＭＯＴＦＴに関する主な用途または興味を引く用途において、このトランジスタは、単純なトランジスタ・スイッチまたは駆動トランジスタとして使用することができる。例えば、ＬＣＤまたはＥＰＤアプリケーションでは、ＭＯＴＦＴは、スイッチとして使用される（図１に示される）。このスイッチ・トランジスタは、（正バイアス下で）短時間オンにされ、（負バイアス下で）残りの時間オフにされる。デューティ・サイクルは１％未満であるが、それより遥かに小さいこともあり得る。このアプリケーションでは、ＭＯＴＦＴスイッチ・トランジスタは、ほとんど負バイアス下での安定性を必要とする。
【０００８】
ＯＬＥＤアプリケーションについては、ＯＬＥＤダイオードに電流を送るために、追加の駆動トランジスタが必要である（図２に示される）。駆動トランジスタの特性は、通常、ピクセルの輝度に対応して電流が流れるということである。このアプリケーションでは、ＭＯＴＦＴは、通常、正バイアス下にある。このアプリケーションにおけるＭＯＴＦＴ駆動トランジスタは、正バイアス下での安定性を必要とする。
【０００９】
さらに、図２に示されるように、ＯＬＥＤアプリケーションでは、ＭＯＴＦＴスイッチ・トランジスタも使用される。このスイッチ・トランジスタは、（正バイアス下で）短時間オンにされ、（負バイアス下で）残りの時間オフにされる。ＭＯＴＦＴドライバは、駆動トランジスタの安定性のために最適化されるが、そのことは、それがアナログ性質であるが故により重要である。上述のように、負バイアス状態下におけるＭＯＴＦＴの安定性が、危険にさらされる。したがって、駆動機能のために最適化されたＭＯＴＦＴを有するＯＬＥＤ駆動アプリケーションについては、負バイアスのスイッチ・トランジスタが問題になることがある。
【００１０】
新世代のＬＣＤのために、高移動度ＭＯＴＦＴバックプレーンが必要である。高移動度を達成するためには、金属酸化物は高い自由電子密度を有するべきであり、酸化に対する耐性を有するべきである（酸化は自由電子を減少させる）。したがって、高移動度ＭＯＴＦＴは、負バイアス下における安定性がより小さい傾向がある。さらに、ディスプレイ内の走査線の数が増加するにつれて、負バイアス除去のデューティ・サイクルはより小さくなるので、その結果、スイッチ・トランジスタは、ほとんど常に負バイアス下にある。
【００１１】
典型的なビデオ・ディスプレイ・アプリケーションでは、スイッチ・トランジスタは、既にパルスされたバイアス動作の下にある。すなわち、負バイアスは、各フレーム内で、短時間の間除去される（正バイアスに変わる）。負バイアス除去期間は、走査線の数で割られたフレーム時間（１秒あたりのフレーム数によって決定される）である。負バイアス除去のデューティ・サイクルは、走査線の数の逆数である。例えば、１０００走査線のディスプレイでは、デューティ・サイクルは０．１％である。このような低いデューティ・サイクルは、ＭＯＴＦＴ内で要求される安定性を提供するために十分でないおそれがある。すなわち、通常のスイッチ／駆動条件下における自然な負バイアス除去は、スイッチ・トランジスタを安定させるために十分な負バイアス除去を提供しないおそれがある。走査線の数に依存しない負バイアスの除去時間を提供することにより、スイッチ・トランジスタをより安定させるための、新規な駆動方法および機器を提供することが有利であろう。
【００１２】
従って、ディスプレイのための新規かつ改善された駆動方法を提供することが、本発明の目的である。
【発明の概要】
【００１３】
簡潔に述べると、好適な実施例に従って本発明が所望する目的を達成するために、ピクセルの行および列を有するピクセルのアレイを提供することを含む、ディスプレイ装置を駆動する方法が提供され、各ピクセルは、スイッチング／ドライビング・トランジスタ回路、および、少なくとも１つの発光装置を含む。ピクセルの各行は走査線を有し、また、ピクセルの各列はデータ線を有する。本方法は、さらに、ピクセルのアレイ内の各ピクセルがアドレスされる間にフレーム時間を画定すること、および、そのフレーム時間を、書込みサブフレーム、表示サブフレーム、および休止サブフレーム(rest subframe)に分割することを含む。走査パルスが各走査線に供給され、データ信号が各データ線に供給され、そして、発光装置は、書込みサブフレーム中は無効（disable）にされる。発光装置は、表示サブフレーム中は有効（enable）にされ、また、スイッチング／ドライビング・トランジスタ回路は無効にされる。休止パルス（rest pulse）がすべての走査線に供給され、そして、発光装置は、休止サブフレーム中は無効にされる。それによって、新規の駆動方法は、走査線の数に依存しない負バイアスの除去時間を提供することにより、スイッチ・トランジスタをより安定させることができる。
【００１４】
さらに、本発明が所望する目的は、ディスプレイを画定するピクセルの列および行を有する、ピクセルのアレイおよび関連する回路を含む駆動機器を有するディスプレイ装置によって達成される。ピクセルのアレイ内の各ピクセルは、スイッチング／ドライビング・トランジスタ回路、および少なくとも１つの発光装置を含み、ピクセルの各行は、行内の各ピクセルの各スイッチング／ドライビング・トランジスタ回路に結合された走査線を有し、また、ピクセルの各列は、列内の各ピクセルの各スイッチング／ドライビング・トランジスタ回路に結合されたデータ線を有する。ピクセルのアレイは、ピクセルのアレイ内の各ピクセルがアドレスされる間にフレーム時間を含み、フレーム時間は、書込みサブフレーム、表示サブフレーム、および休止サブフレームに分割される。関連する回路は、走査パルスを各走査線に供給するため、データ信号を各データ線に供給するため、および、書込みサブフレーム中、発光装置を無効にするために設計される。さらに、関連する回路は、表示サブフレーム中、発光装置を有効にするため、および、スイッチング／ドライビング・トランジスタ回路を無効にするために設計される。さらに、関連する回路は、休止パルスをすべての走査線に供給するため、および、休止サブフレーム中、発光装置を無効にするために設計される。それによって、新規の駆動機器は、走査線の数に依存しない負バイアス除去時間を提供することにより、スイッチ・トランジスタをより安定させることができる。
【図面の簡単な説明】
【００１５】
本発明の上述された目的および利点、および、さらなる特定の目的および利点は、好適な実施例に関する以下の詳細な記述および図面によって、当業者には容易に明らかになるであろう。
【図１】単一のＬＣＤ／ＥＰＤディスプレイ要素のためのＭＯＴＦＴスイッチング回路を単純化した概要図である。
【図２】単一のＯＬＥＤディスプレイ要素のためのＭＯＴＦＴスイッチング／ドライビング回路の一例を単純化した概要図である。
【図３】単一のＯＬＥＤディスプレイ要素のためのＭＯＴＦＴスイッチング／ドライビング回路の別の例を単純化した概要図である。
【図４】本発明に従って、ディスプレイのデータ線上の波形を示す。
【図５】本発明に従って、ディスプレイの走査線上のパルス波形を示す。
【発明を実施するための形態】
【００１６】
一般に、本開示は、ピクセルの行および列を含むディスプレイ装置に応用される。ここで、各ピクセルは、少なくとも１つの光生成装置（例えばＯＬＥＤ）または導光装置（例えばＬＣＤまたはＥＰＤ）を含むが、４つ、５つ、またはそれ以上（例えばフルカラー・ディスプレイ用）を含むことができることが理解されるであろう。以下、光生成および／または導光装置は、「発光装置」と称する。さらに、ピクセルの各行は、それに結合された少なくとも１本の走査線を有し、また、ピクセルの各列は、それに結合された少なくとも１本のデータ線を有する。理解を容易にするために、各行の単一の走査線、および各列の単一のデータ線として記述されるが、本記述において用いられる場合は、それが複数の走査線およびデータ線を含むことを意図していると理解されたい。さらに用語「行」および「列」が使用されているが、あらゆるディスプレイスは回転可能であり、それによって、行と列が逆転し、その結果、走査線とデータ線とが逆転するので、本明細書および特許請求の範囲は、そのような変更を含むことを意図していると理解されたい。
【００１７】
特に図１を参照して、ここではＬＣＤまたはＥＰＤディスプレイのための典型的なスイッチング／ドライビング回路１０が示される。スイッチング／ドライビング回路１０は、金属酸化物薄膜トランジスタ（ＭＯＴＦＴ）１２を含み、それは、データ入力線を、格納キャパシタ１４の１つの端子に接続するソース／ドレイン回路を有する。キャパシタ１４の反対側の端子は、帰線に接続される。ＭＯＴＦＴ１２のゲートは、走査入力線に接続される。ＭＯＴＦＴ１２のソース／ドレイン回路は、さらに、ＬＣＤまたはＥＰＤ１６の１つの端子に接続される。ＬＣＤまたはＥＰＤ１６の反対側の端子は、帰線に接続されるが、それは、システムの特定の構造に依存して、キャパシタ１４に接続されたものと同じ帰線であってもよく、あるいは異なる帰線であってもよい。動作において、走査線は、短時間の間、ＭＯＴＦＴ１２をオンに切り換え、その間にデータがキャパシタ１４に格納される。その後、キャパシタ１４に格納されたデータ（チャージ）は、ＬＣＤまたはＥＰＤ１６に印加され、ディスプレイされているイメージに従って輝度をコントロールする。理解されるように、ＬＣＤまたはＥＰＤ１６はキャパシタ上のチャージによって活性化され、ある形式のバックライトからそれを通って光を導き、また、ＬＣＤまたはＥＰＤ１６は、バックライトをオンまたはオフにすることによって、有効または無効にされるか、あるいは、され得る。
【００１８】
次に図２を参照して、ここには、ＯＬＥＤディスプレイ用の典型的なスイッチング／ドライビング回路２０が示される。スイッチング／ドライビング回路２０は、スイッチ・トランジスタ（ＭＯＴＦＴ）２２を含み、これは、データ入力線を、格納キャパシタ２４の１つの端子、および駆動ＭＯＴＦＴ２５のゲートに接続するソース／ドレイン回路を有する。スイッチ・トランジスタ２２のゲートは、走査入力線に接続される。ＭＯＴＦＴ２５のソース／ドレイン回路は、電力端子２７上の電圧源Ｖｄｄを、ＯＬＥＤ２６の正端子に接続する。キャパシタ２４の他の端子も、電力端子２７に接続される。ＯＬＥＤ２６の負端子は、共通帰線２８（典型的には共通陰極（カソード）と呼ばれる）に接続される。動作において、走査線は、短時間の間、ＭＯＴＦＴ２２をオンに切り換え、その間にデータがキャパシタ２４に格納される。キャパシタ２４に格納されたデータ（チャージ）は、駆動電流をＯＬＥＤ２６に供給する駆動ＭＯＴＦＴ２５のゲートに印加され、ディスプレイされているイメージに従って輝度をコントロールする。理解されるように、ＯＬＥＤ２６および駆動ＭＯＴＦＴ２５は、端子２７（すなわち端子２７と端子２８との間）に印加される電圧によって、有効にされるか、または活性化され、ディスプレイのピクセルのための光を生成する。
【００１９】
次に図３を参照して、ここには、ＯＬＥＤディスプレイ用の別のスイッチング／ドライビング回路３０が示される。スイッチング／ドライビング回路３０は、スイッチ・トランジスタ（ＭＯＴＦＴ）３２を含み、それは、データ入力線を、格納キャパシタ３４の１つの端子、および駆動ＭＯＴＦＴ３５のゲートに接続するソース／ドレイン回路を有する。スイッチ・トランジスタ３２のゲートは、走査入力線に接続される。電力端子（Ｖｄｄ）３７は、ＯＬＥＤ３６の正端子に接続される。ＭＯＴＦＴ３５のソース／ドレイン回路は、ＯＬＥＤ３６の陰極を、共通の負または帰線３８（典型的には共通陽極（アノード）と呼ばれる）に接続する。キャパシタ３４の他の端子も、電力端子３７に接続される。ＯＬＥＤ３６の負端子は、共通の負または帰線３８に接続される。動作において、走査線は、短時間の間、ＭＯＴＦＴ３２をオンに切り換え、その間にデータがキャパシタ３４に格納される。キャパシタ３４内に格納されたデータ（チャージ）は、駆動電流をＯＬＥＤ３６に供給する駆動ＭＯＴＦＴ３５のゲートに印加され、ディスプレイされているイメージに従って輝度をコントロールする。理解されるように、ＯＬＥＤ３６および駆動ＭＯＴＦＴ３５は、端子３７（すなわち端子３７と端子３８との間）に印加された電圧によって有効にされるか、または活性化され、ディスプレイのピクセルのための光を生成する。
【００２０】
図４および図５を参照して、ここには、本発明に従って、駆動スキームのためにデータ線に印加された波形および走査線に適用された波形を示す。各波形は、単一のフレーム中の単一のピクセルの動作を表わし、そして、本発明に従って、各フレームは３つのサブフレーム、すなわち、書込みサブフレーム、表示サブフレーム、および休止サブフレームに分割される。
【００２１】
書込みサブフレーム中、ディスプレイおよびディスプレイ装置を無効にしながら、走査パルスがスイッチ・トランジスタのゲートに印加され、データ線上のデータは、ピクセル格納キャパシタ内に書き込まれる。本開示において、用語「無効にする」または「無効にされた」とは、特定の装置または回路がオフにされるか、または、一時的に機能しない状態に置かれるようなあらゆるプロセスまたは方法を称する。上述のように、ＬＣＤまたはＥＰＤは、例えばバックライトをオフにすることにより無効になり、また、ＯＬＥＤは、Ｖｄｄ電力源を除去または遮断することにより無効される。例えば、スイッチング／ドライビング・トランジスタ回路は、例えば、単にデータをデータ線に印加しない、または、走査パルスを走査線に印加しない（例えば、走査線を休止状態に戻す）ことによって、無効になる場合がある。書込みサブフレーム中に格納キャパシタ内にデータを書き込むことは、従来のアクティブ・マトリクス駆動スキームの動作に類似する。書込みサブフレーム中に、格納キャパシタ内に格納されたデータは、イメージを反映しなくてもよいし、または、すべての書込みが完了するまで（すなわち、書込みサブフレームが終了するまで）、ディスプレイ上にイメージを示さなくてもよいが、それは、ディスプレイ装置が書込みサブフレーム中に無効にされる理由である。全フレームに対して書込みフレームが占める割合は、約５％から約５０％である。書込みパルスは、書込みサブフレーム中にディスプレイの最初の走査線からディスプレイの最後の走査線へ、連続的に循環されることが理解されるであろう。さらに、データ線は、イメージを回復するために、時間多重ビデオ信号を空間多重格納キャパシタへ送る。短時間であるために、スイッチ・トランジスタは、より多くの電流を提供しなければならず、それは、ＭＯＴＦＴが容易に達成することができる。
【００２２】
表示サブフレームにおいて、すべてのスイッチ・トランジスタは、表示サブフレーム中にすべての走査線を休止電圧に戻すことによって無効にされ、そしてディスプレイ装置が有効にされる。すべての格納キャパシタは、無効またはオフにされたスイッチ・トランジスタよって分離されるので、表示サブフレーム中のデータ線上のすべての信号は無関係である。上述のように、ＬＣＤまたはＥＰＤは、例えばバックライトをオンにすることにより有効になり、また、ＯＬＥＤは、Ｖｄｄ電力源を印加または接続することにより有効になる。ディスプレイされたイメージは、格納キャパシタ上のチャージによって表わされるが、それは、すべてのスイッチ・トランジスタが無効またはオフにされるので、表示サブフレーム内に良好に保存される。そのディスプレイは、ディスプレイ装置上に現れるピクセル・キャパシタとしてのイメージを示すであろう。全フレームに対して表示サブフレームが占める割合は、約４０％から約９０％である。理解されるように、表示サブフレームのサイズまたは大きさは、他の２つのサブフレームと比較して、一般に大きい。
【００２３】
休止サブフレームにおいて、すべてのスイッチ・トランジスタはオンにされ、そして、すべての格納キャパシタは、休止電圧または休止パルスに書き込まれる。休止サブフレーム中に、すべての走査線は、休止パルスを受け取り、それがすべてのスイッチ・トランジスタをオンにする。休止パルスは、一般に、スイッチ・トランジスタをほぼ完全に安定させるために十分な逆補償をスイッチ・トランジスタに提供するために十分に長い。休止パルスの振幅は、書込みパルスと異なってもよい。さらに、休止サブフレーム中、ディスプレイ装置はすべて無効になる。全フレームに対して休止サブフレームが占める割合は、約１％から約５０％ある。３つのサブフレームは、全部合わせて単一フレームになる。休止サブフレームの持続時間、その結果として休止パルスの持続時間は、例えば、走査線の数、各フレームの長さ、休止パルスの振幅、使用される特定のスイッチ・トランジスタ（例えば材料サイズなど）、およびシステム内の他の変数を含む、システム全体における変数の数に依存する。データ線は、休止信号を、ＯＬＥＤディスプレイ内の格納キャパシタへ、および駆動トランジスタのゲートへ供給する。休止信号もまた、駆動トランジスタに対して、いくらかの逆補償を提供するために使用することができる。
【００２４】
以上のように、ディスプレイのための新規かつ改善された駆動方法が示された。駆動スキームは、特に、スイッチ・トランジスタの安定性を改善すること、および、特にＭＯＴＦＴを切り換えるために設計される。駆動方法は、関連するディスプレイ内の走査線の数に依存しないＭＯＴＦＴスイッチ・トランジスタへの負バイアスの除去時間を生成するために設計される。さらに、ディスプレイのための新規かつ改善された駆動方法は、コストを増加させず、また、実施が容易である。さらに、各フレーム中の休止時間または空白時間は、実際に目の負担軽減を改善または寄与し、従って、見ている間の快適感を改善することが知られている。
【００２５】
例示目的のためにここで選択された実施例に対して、当業者であれば、様々な変更および修正を容易に想起することができるであろう。そのような修正およびバリエーションは、本発明の精神から逸脱しない限り、本発明の範囲内に包含されるとみなされ、以下の請求項の公平な解釈によってのみ評価される。
【００２６】
本発明は、当業者が理解および実施することができるような明瞭かつ簡潔な用語によって、完全に記述された。
【図１】
2014512558.tif 000003
【図２】
2014512558.tif 000004
【図３】
2014512558.tif 000005
【図４】
2014512558.tif 000006
【図５】
2014512558.tif 000007
【国際調査報告】
2014512558.tif 000008